(57)【要約】  【課題】内部の貯蔵物の確認を容易とすることができる観音開き型の冷蔵庫を提供することを課題とする。  【解決手段】内部空間１３につながる開口１５が設けられた箱体１０と、開口１５の左右両側に一方の扉２１と幅の小さい他方の扉２２を設けて観音開き型の扉とする。そして、他方の扉２２のみを閉じ、一方の扉を閉じた状態から９０°回転させて開いた状態での視認可能な部分は、（１）内部空間１３に設けられた開口に対向する壁面１０ａの視認可能な範囲Ｌの割合が全体の９０％以上であり、（２）内部空間１３の視認可能な領域Ｓの割合が全体の７０％以上である。【選択図】図６
2005133965.tif 000002
【特許請求の範囲】
【請求項１】
内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が以下の全ての条件を満たすことを特徴とする冷蔵庫。
（１）一方の扉を開いた時に扉の開成の邪魔にならない視認位置において、他方の扉によって覆われている部分を除く開口の左右方向中央部の延長線上の位置から内部空間を視認した場合、内部空間に設けられた開口に対向する壁面の視認可能な範囲の割合が全体の９０％以上である。
【請求項２】
内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が以下の全ての条件を満たすことを特徴とする冷蔵庫。
（１）一方の扉を開いた時に扉の開成の邪魔にならない視認位置において、他方の扉によって覆われている部分を除く開口の左右方向中央部の延長線上の位置から内部空間を視認した場合、内部空間に設けられた開口に対向する壁面の視認可能な範囲の割合が全体の９０％以上である。
（２）一方の扉を開いた時に扉の開成の邪魔にならない視認位置において、他方の扉によって覆われている部分を除く開口の左右方向中央部の延長線上の位置から内部空間を視認した場合、内部空間の視認可能な空間の割合が全体の７０％以上である。
【請求項３】
内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が以下の全ての条件を満たすことを特徴とする冷蔵庫。
（１）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上である。
（２）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間の視認可能な空間の割合が全体の７０％以上である。
【請求項４】
仕切板が設けられ、前記仕切板は扉を閉じた状態で一方の扉の中央側の縁と他方の扉の中央側の縁との間に配置されて一方の扉と他方の扉との間のシールを行うものであり、一方の扉のみを閉じた場合、及び、他方の扉のみを閉じた場合に、閉じられた側の扉の中央側の縁から仕切板がはみ出さないことを特徴とする請求項１から３に記載の冷蔵庫。
【請求項５】
内部空間を有して当該内部空間につながる開口が設けられた箱体と、前記開口の左右両側に回動可能に枢支される観音開き式の扉とを有し、前記扉は、一方の扉と、他方の扉と、他方の扉の中央側の縁に配置された仕切板とが設けられ、両方の扉を閉じることにより前記箱体の内部を密閉状態とすることができるものであり、他方の扉のみを閉じ、一方の
扉を閉じた状態から９０°回転させて開いた状態で、視認可能な部分が以下の全ての条件を満たすことを特徴とする冷蔵庫。
（１）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上である。
（２）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間の視認可能な空間の割合が全体の７０％以上である。
【請求項６】
他方の扉には真空断熱材が設けられ、前記真空断熱材の左右方向の幅は２０ｃｍ以上であることを特徴とする請求項１から５のいずれか一項に記載の冷蔵庫。
【請求項７】
一方の扉及び他方の扉には上下方向に隣接する引き出し部又は扉が設けられ、前記引き出し部又は扉は、左右方向に並ぶものであって上下方向に境界を有し、当該境界は一方の扉と他方の扉との境界と連続していることを特徴とする請求項１から６のいずれか一項に記載の冷蔵庫。
【請求項８】
前記箱体の内部空間には収納部が設けられ、前記収納部には箱体の開口側に向かって引き出すことのできる蓋又は引き出しが設けられ、前記蓋又は前記引き出しの開口側の面は、一方の扉及び他方の扉のいずれかの一方のみを開いた状態の開口に全面露出していることを特徴とする請求項１から７のいずれか一項に記載の冷蔵庫。
【発明の詳細な説明】
【技術分野】
【０００１】
本発明は冷蔵庫に関するものであり、特に、扉の構造に特徴を有するものである。
【背景技術】
【０００２】
従来より、扉が両開きである、いわゆる観音開き型の扉を有する冷蔵庫が実用化されている。そして、この例として、特許文献１に示された冷蔵庫がある。
【０００３】
図１０は従来技術の冷蔵庫１００の場合の水平方向の断面を示した図である。この冷蔵庫１００は、一方の扉２１と他方の扉２２との左右方向の幅を同じにしたものである。そして、位置Ａから視認可能な領域Ｓ、及び、位置Ａから箱体１０の開口１５に対向する壁面１０ａの視認可能な範囲Ｌを図示している。この位置Ａ、領域Ｓ、範囲Ｌについては後述する本実施形態を図示した図６と同様である。
【０００４】
そして、この冷蔵庫１００の、位置Ａから視認可能な領域Ｓは、箱体１０の内部空間１３全体に対して７０％未満であり、具体的には６５％である。また、位置Ａから、箱体１０の開口１５に対向する壁面１０ａの視認可能な範囲Ｌの割合が全体の９０％未満であり、具体的には７８％である。したがって、視認できる範囲が狭く、使用時に内部の貯蔵物が死角に入りやすく、確認が困難である。
【特許文献１】特公平６−９７１３４号公報
【発明の開示】
【発明が解決しようとする課題】
【０００５】
観音開き型の扉では、開口を一枚で全面を覆っている通常の扉とは異なり、開口の一部を開くことができるので、扉を開いた際の内部の冷気が外部に流出する量を低減させることができ、また、扉の手前側のスペースが小さい場合でも扉の回転角を大きくすることができる。一方で、いずれかの扉を開口の一部しか開かないので、内部に入れている貯蔵物が、どこに何があるかを確認しにくかった。
【０００６】
また、観音開きの一方の扉と他方の扉の幅を変えたものを採用し、幅の広い一方の扉を開くことにより、片開きの扉の冷蔵庫に比べて扉を開いた状態での内部の冷気が外部に流出する量を低減させることができる。また、かかる構造のものは、扉の幅が同じタイプの観音開きのものよりも内部の確認が行いやすい。
【０００７】
しかしながら、従来技術の観音開き型の冷蔵庫の扉構造では、内部の確認のし易さは片開きの扉のものに比べてかなり悪く、片開きの扉の冷蔵庫並に内部の確認を行うことが出来る扉構造を持つ冷蔵庫が求められていた。
【０００８】
そして、両手で両扉を開かないと内部の視認ができず、収納品の出し入れが困難であった。さらに、収納品を出し入れする際には手に持って行うので、両手で両扉を開けるのでは使い勝手が悪くなってしまう。また、両扉を開放すると、片側のみを開放した場合に比べて内部の冷気漏れ大きく、エネルギーロスとなってしまい、収納品の温度が上昇してしまう。
【０００９】
本発明は、上記従来の課題を解決するもので、内部に貯蔵された貯蔵物の確認がしやすい、観音開き型の冷蔵庫を提供することを目的とする。
【課題を解決するための手段】
【００１０】
上記従来の課題を解決するために、本発明の冷蔵庫は、観音開き式の扉を有し、他方の扉のみを閉じ、一方の扉を閉じた状態から９０°回転させて開いた状態で、視認可能な部分が、他方の扉によって覆われている部分を除く開口の左右方向中央部の延長線上の位置から内部空間を視認した場合、内部空間に設けられた開口に対向する壁面の視認可能な範囲の割合が全体の９０％以上としたものである。
【００１１】
これによって、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００１２】
上記従来の課題を解決するために、本発明の冷蔵庫は、観音開き式の扉を有し、他方の扉のみを閉じ、一方の扉を閉じた状態から９０°回転させて開いた状態で、視認可能な部分が、他方の扉によって覆われている部分を除く開口の左右方向中央部の延長線上の位置から内部空間を視認した場合、内部空間に設けられた開口に対向する壁面の視認可能な範囲の割合が全体の９０％以上とし、かつ内部空間の視認可能な空間の割合が全体の７０％以上としたものである。
【００１３】
これによって、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００１４】
上記従来の課題を解決するために、本発明の冷蔵庫は、観音開き式の扉を有し、他方の扉のみを閉じ、一方の扉を閉じた状態から９０°回転させて開いた状態で、視認可能な部分が、一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上であって、内部空間の視認可能な空間の割合が全体の７０％以上としたものである。
【００１５】
これによって、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００１６】
また本発明は、観音開き式の扉を有し、仕切板の設けられた他方の扉のみを閉じ、一方の扉を閉じた状態から９０°回転させて開いた状態で、一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上であって、内部空間の視認可能な空間の割合が全体の７０％以上としたものである。
【００１７】
これによって、視認可能な部分が仕切板により減少するか否かにかかわらず広い範囲を視認することができる。
【００１８】
この視認可能か確認する場合には、内部空間を空の状態で行う。また、扉の中央側の縁に仕切板が設けられているものについて、この仕切板によって視認できない部分を含む場合、かかる部分は視認可能な部分として含まない。
【発明の効果】
【００１９】
本発明によれば、内部に貯蔵された貯蔵物の確認がしやすく、より省エネルギーが可能な観音開き型の冷蔵庫を提供することができる。
【発明を実施するための最良の形態】
【００２０】
請求項１に記載の発明は、内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が他方の扉によって覆われている部分を除く開口の左右方向中央部の延長線上の位置から内部空間を視認した場合、内部空間に設けられた開口に対向する壁面の視認可能な範囲の割合が全体の９０％以上であることを特徴とする冷蔵庫であるので、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００２１】
請求項２に記載の発明は、内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が他方の扉によって覆われている部分を除く開口の左右方向中央部の延長線上の位置から内部空間を視認した場合、内部空間に設けられた開口に対向する壁面の視認可能な範囲の割合が全体の９０％以上で、かつ内部空間の視認可能な空間の割合が全体の７０％以上であることを特徴とする冷蔵庫であるので、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００２２】
請求項３に記載の発明は、内部空間を有して当該内部空間につながる開口が設けられた箱体と、前記開口の左右両側に回動可能に枢支される観音開き式の扉とを有し、前記扉は、一方の扉と、一方の扉より幅の小さい他方の扉が設けられ、両方の扉を閉じることにより前記箱体の内部を密閉状態とすることができるものであり、他方の扉のみを閉じ、一方の扉を閉じた状態から９０°回転させて開いた状態で、視認可能な部分が、（１）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上であり、（２）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間の視認可能な空間の割合が全体の７０％以上であることを特徴とする冷蔵庫であるので、広い範囲を視認することができ、収納品の出し入れが片扉のみを開くことで行えるため、片手で扉を開閉することができるので使い勝手が良く、片開きタイプの扉に比べて冷気の流出が少なくなり、より省エネルギーとすることができる。
【００２３】
請求項４に記載の発明は、仕切板が設けられ、前記仕切板は扉を閉じた状態で一方の扉の中央側の縁と他方の扉の中央側の縁との間に配置されて一方の扉と他方の扉との間のシールを行うものであり、一方の扉のみを閉じた場合、及び、他方の扉のみを閉じた場合に、閉じられた側の扉の中央側の縁から仕切板がはみ出さないことを特徴とする請求項１または請求項３に記載の冷蔵庫であるので、一方の扉のみを閉じた場合、及び、他方の扉のみを閉じた場合に、閉じられた側の扉の中央側の縁から仕切板がはみ出さないので、内部空間の開口をより広くすることが可能となり、視認性が向上する。
【００２４】
請求項５に記載の発明は、内部空間を有して当該内部空間につながる開口が設けられた箱体と、前記開口の左右両側に回動可能に枢支される観音開き式の扉とを有し、前記扉は、一方の扉と、他方の扉と、他方の扉の中央側の縁に配置された仕切板とが設けられ、両方の扉を閉じることにより前記箱体の内部を密閉状態とすることができるものであり、他方の扉のみを閉じ、一方の扉を閉じた状態から９０°回転させて開いた状態で、視認可能な部分が、（１）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間に設けられた開口に対向する壁面の視認可能な範囲の割合が全体の９０％以上であり、（２）一方の扉の幅に１０ｃｍを加えた長さの距離だけ開口から離れる位置であって、他方の扉によって覆われている部分を除く開口の左右方向中央部の延長線上の位置から内部空間を視認した場合、内部空間の視認可能な空間の割合が全体の７０％以上であるので、広い範囲を視認することができる。
【００２５】
請求項６に記載の発明は、他方の扉には真空断熱材が設けられ、前記真空断熱材の左右方向の幅は２０ｃｍ以上であることを特徴とする請求項１から５のいずれか一項に記載の冷蔵庫であるので、扉からの熱伝導を低くすることができ、より省エネルギーとすることができる。さらに、一方の扉の左右方向の幅を他方の扉の２倍とすることで特に断熱性を高めることができる。
【００２６】
請求項７に記載の発明は、一方の扉及び他方の扉には上下方向に隣接する引き出し部又は扉が設けられ、前記引き出し部又は扉は、左右方向に並ぶものであって上下方向に境界を有し、当該境界は一方の扉と他方の扉との境界と連続していることを特徴とする請求項１から６のいずれか一項に記載の冷蔵庫であるので、外観に違和感がなくデザイン性に優れる。
【００２７】
請求項８に記載の発明は、前記箱体の内部空間には収納部が設けられ、前記収納部には箱体の開口側に向かって引き出すことのできる蓋又は引き出しが設けられ、前記蓋又は前記引き出しの開口側の面は、一方の扉及び他方の扉のいずれかの一方のみを開いた状態の開口に全面露出していることを特徴とする請求項１から７のいずれか一項に記載の冷蔵庫であるので、この状態で蓋を開く、又は引き出しを引くことができるので、使い勝手がよい。
【００２８】
以下に、本発明を実施するための最良の形態について、図面を参照しながら説明するが、従来例または先に説明した実施の形態と同一の構成については同一符号を付して、その詳細な説明は省略する。なお、この実施の形態によってこの発明が限定されるものではない。
【００２９】
図１は、本発明の第１の実施形態の冷蔵庫の正面図である。図２は、本発明の第１の実施形態の冷蔵庫の扉を開けた状態での正面図である。図３は、本発明の第１の実施形態の冷蔵庫の他方の扉を開けた状態での正面図である。図４は、本発明の第１の実施形態の冷蔵庫の一方の扉を開けた状態での正面図である。図５は、本発明の第１の実施形態の冷蔵庫の水平方向の面での断面図である。図６は、本発明の第１の実施形態の冷蔵庫の一方の扉のみを開いた状態の断面図であり、視認状態を示した図である。図７，図８は変形例の冷蔵庫の一方の扉のみを開いた状態の断面図であり、視認状態を示した図である。図９は本発明の冷蔵庫の一方の扉と他方の扉との左右方向の幅の比率を変えて、領域Ｓと範囲Ｌとを比較したグラフである。
【００３０】
本発明の第１の実施形態における冷蔵庫１は図１、図２に示されている。そして、内部空間１３を有する箱体１０と、扉１１と、引き出し５０ａ，５０ｂ，５１，５２が設けられている。そして、扉１１は冷蔵庫１の最上部であり、扉１１の下側に引き出し５０ａ，
５０ｂ左右方向に並んでおり、さらにその下側に引き出し５１が、そして、その下側であって最下部に引き出し５２が設けられている。
【００３１】
最上部に位置する扉１１は観音開き式の扉であり、一方の扉２１と他方の扉２２を有している。そして扉１１の下側に設けられている引き出し５０ａ，５０ｂの幅は、一方の扉２１と他方の扉２２の幅に合わせている。したがって、一方の扉２１と他方の扉２２との境界と、引き出し５０ａと引き出し５０ｂとの境界が直線状となり、図１に示されるように、全体としてまとまりのある外観となる。
【００３２】
なお、箱体１０、扉１１及び引き出し５０ａ，５０ｂ，５１，５２の前面側には、図示していないが、従来技術の冷蔵庫と同様に、外壁面と内壁面を有している。そして、外壁面と内壁面との間には真空断熱材（図示せず）が設けられ、内部と外部との間に温度差が発生した場合に、熱伝導を低減することができる。
【００３３】
箱体１０の正面側には、内部空間１３から外部につながる開口１５が設けられている。そして、一方の扉２１と他方の扉２２は、開口１５の左右両側に回動可能に枢支（図示せず）されている。他方の扉２２の左右方向の幅は、一方の扉２１のそれよりも短い。この一方の扉２１の幅と他方の扉２２の幅との関係は、後述する条件を満たすような関係である。
【００３４】
また、他方の扉２２の真空断熱材の左右方向の幅は、２０ｃｍ以上である。このように２０ｃｍ以上とするのは、真空断熱材としての性能を考えると真空断熱材の表面からの熱伝導よりも断熱性能が勝る寸法である。したがって、他方の扉２２の熱伝導を低減させることができるので、より省エネルギーとすることができる。また、一方の扉２１の左右方向の幅は他方の扉２２の２倍以上である。
【００３５】
なお、内部空間１３の下方には仕切棚１７が設けられており、扉１１の内側には、ドアポケット１８が設けられており、使用の際には貯蔵物を仕切棚１７やドアポケット１８の上に載せられる。
【００３６】
さらに、内部空間１３には、収納部４０が設けられている。収納部４０は、内部空間１３の一部を蓋や引き出しなどによって囲んでいるものであり、本実施形態では、仕切棚１７の下側に２つの引き出し４０ａ、４０ｂが設けられている。そして、図３に示されるように、引き出し４０ａは一方の扉２１を閉じて他方の扉２２を開いた状態で開口１５に露出し、開口１５側である手前側に引き出すことができる。また、図４に示されるように、引き出し４０ｂは他方の扉２２を閉じて一方の扉２１を開いた状態で開口１５に露出し、開口１５側である手前側に引き出すことができる。
【００３７】
なお、収納部４０には２つの引き出し４０ａ、４０ｂが設けられているが、引き出し４０ａ、４０ｂは一方であっても良い。また、収納部４０は蓋が設けられた容器状であって、当該蓋は開口１５側に配置されて、一方の扉２１又は他方の扉２２のいずれかのみを開いた状態で開口１５に露出し、開口１５側である手前側に引き出すことができるものであってもよい。
【００３８】
また、図５に示されるように、仕切板２３が他方の扉２２の内部空間１３側に回転可能に接続されている。仕切板２３は、一方の扉２１及び他方の扉２２の両方を閉じた状態では、一方の扉２１と他方の扉２２との隙間を塞ぐような向きに回転する。そして、いずれかの扉２１、２２が開いている状態では、仕切板２３が回転する。したがって、一方の扉２１が開いている場合にも、他方の扉２２の縁から突出状態となることはない。
【００３９】
仕切板２３の動きは図５に示されている。図５（ａ）は、一方の扉２１及び他方の扉２２の両方を開いた状態であるが、このときの仕切板２３は、回転して退入している。そして、図５（ｂ）のように他方の扉２３を閉じた状態でも仕切板２３は退入したままである。
【００４０】
そして、さらに、一方の扉２１を閉じると、図５（ｃ）に示されるように、仕切板２３が突出するように回転し、一方の扉２１と他方の扉２２との間のシールを行う。
【００４１】
また、一方の扉２１を開くと、図５（ｄ）に示されるように、仕切板２３が退入方向に回転する。そして、他方の扉２２を開くと、図５（ｅ）に示されるように、仕切板２３が退入方向に回転する。したがって、２つの扉１１のいずれかの一方のみを開いた場合にも、仕切板２３が退入して、扉１１の縁からはみ出すことがなく、仕切板２３が内部空間１３の視認が邪魔されにくい。
【００４２】
ここで、説明する仕切板２３の移動は本発明に直接関係がないので詳細な説明を省略する。なお、必要な場合には、特開平８−１７０８７１号公報に記載された事項を参照することができる。
【００４３】
次に、一方の扉２１の幅と他方の扉２２の幅との関係について説明する。
【００４４】
一方の扉２１の幅と他方の扉２２の幅との比は６５：３５である。したがって、一方の扉２１の幅は、一方の扉２１の幅と他方の扉２２の幅の合計に対して、６５％である。したがって、一方の扉２１の幅が６５％以上であれば視認性が向上する。
【００４５】
図６は、一方の扉２１を閉じた状態から９０°回転させて開いた状態の、水平方向の断面を示した図である。そして、この状態で、視認可能な範囲を確認する。視認する位置は、使用者が扉を開けた状態で、通常、目の位置の付近となる位置とした。具体的には、一方の扉２１の幅に１０ｃｍを加えた長さの距離だけ開口１５から離れる位置であり、また、他方の扉２２によって覆われている部分を除く開口１５、すなわち、一方の扉２１に覆われていた開口１５の左右方向中央部の延長線上の位置Ａである。そして、この位置Ａから片目によって冷蔵庫１の内部を見て確認する。
【００４６】
なお、視認可能な範囲は、上下方向にも幅を持つものであるが、任意の水平面での範囲はほぼ同様であるので、図６に示すような、水平断面図を用いて説明する。
【００４７】
位置Ａから、箱体１０の内部空間１３を見た場合には、領域Ｓの範囲が視認できる。この領域Ｓは、他方の扉２２やドアポケット１８によって死角ができるので、内部空間１３の一部分となる。なお、本実施形態においては、一方の扉２１を開くと他方の扉２２に取り付けられた仕切板２３が退入するので、仕切板２３によって死角は発生しない。
【００４８】
そして、本実施形態における領域Ｓは、箱体１０の内部空間１３全体に対して７０％以上であり、具体的には８１％である。また、位置Ａから、箱体１０の開口１５に対向する壁面１０ａの視認可能な範囲Ｌの割合が全体の９０％以上であり、具体的には、壁面１０ａの全領域を視認することができ、さらに、箱体１０の側壁１０ｂ、１０ｃの一部も視認することができる。したがって、より広い範囲Ｌの視認することができ、使用時に内部の貯蔵物の確認が容易となる。
【００４９】
なお、図７に示される冷蔵庫２は、上記の実施形態の冷蔵庫１と比べ、他方の扉２２の縁に設けられた仕切板２３の機構が異なるものであり、具体的には、一方の扉２１を開いても仕切板２３は回転せず、そのまま突出した状態である。このため、冷蔵庫２は、冷蔵
庫１と比べて仕切板２３に隠れる部分によって視認可能な部分が減少する。
【００５０】
この仕切板２３の構造も本発明に直接影響を及ぼすものでないので、その詳細な説明を省略するが、必要な場合には、特開平８−１７０８７１号公報に記載された事項を参照することができる。
【００５１】
さらに、図８に示される冷蔵庫３のように、他方の扉２２に仕切板２３を設けられていない場合には、仕切板２３によって視認可能な部分が減少することがないので、図６に示される冷蔵庫１と同様な領域Ｓ及び範囲Ｌとなる。この場合、一方の扉２１に仕切板２３が設けられたものについても同様である。
【００５２】
図９は、扉２１，２２の幅の比率を変えたときの視認性を調べたものである。具体的には、上記した冷蔵庫１とこの冷蔵庫１に対して一方の扉２１と他方の扉２２との左右方向の幅の比率のみを変え、他の寸法は変えずに製作したものについて、領域Ｓと範囲Ｌとを測定して、グラフ化したものである。
【００５３】
これによると、本実施形態の冷蔵庫１よりも一方の扉２１が大きいものについては、視認可能な領域Ｓの割合が箱体１０の内部空間１３全体に対して７０％以上であり、視認可能な範囲Ｌの割合が全体の９０％以上であり、視認性が良好である。
【産業上の利用可能性】
【００５４】
以上のように本発明は、内部に貯蔵された貯蔵物の確認がしやすく、より省エネルギーが図れ、家庭用，業務用の冷蔵庫のみならず観音開き型の扉を備えた収納庫等の技術分野において有用である。
【図面の簡単な説明】
【００５５】
【図１】本発明の第１の実施形態の冷蔵庫の正面図
【図２】本発明の第１の実施形態の冷蔵庫の扉を開けた状態での正面図
【図３】本発明の第１の実施形態の冷蔵庫の他方の扉を開けた状態での正面図
【図４】本発明の第１の実施形態の冷蔵庫の一方の扉を開けた状態での正面図
【図５】本発明の第１の実施形態の冷蔵庫の水平方向の面での断面図であり、（ａ）は一方及び他方の扉を開いた状態の図、（ｂ）は一方の扉のみを開いた状態の図、（ｃ）は一方及び他方の扉を閉じた状態の図、（ｄ）は一方の扉のみを開いた状態の図、（ｅ）は他方の扉のみを閉じた状態の図
【図６】本発明の第１の実施形態の冷蔵庫の一方の扉のみを開いた状態の断面図であり、視認状態を示した図
【図７】変形例の冷蔵庫の一方の扉のみを開いた状態の断面図であり、視認状態を示した図
【図８】変形例の冷蔵庫の一方の扉のみを開いた状態の断面図であり、視認状態を示した図
【図９】本発明の冷蔵庫の一方の扉と他方の扉との左右方向の幅の比率を変えて、領域Ｓと範囲Ｌとを比較したグラフ
【図１０】従来技術の冷蔵庫の一方の扉のみを開いた状態の断面図であり、視認状態を示した図
【符号の説明】
【００５６】
１、２、３  冷蔵庫
１０  箱体
１０ａ  壁面
１３  内部空間
１５  開口
２１  一方の扉
２２  他方の扉
２３  仕切板
【図１】
2005133965.tif 000003
【図２】
2005133965.tif 000004
【図３】
2005133965.tif 000005
【図４】
2005133965.tif 000006
【図５】
2005133965.tif 000007
【図６】
2005133965.tif 000008
【図７】
2005133965.tif 000009
【図８】
2005133965.tif 000010
【図９】
2005133965.tif 000011
【図１０】
2005133965.tif 000012